(57)【特許請求の範囲】
【請求項１】
データを格納したディレクトリを１または複数個記録したディスクを再生するディスク再生装置において、
テンキーを有する操作部と、
前記ディスクのディレクトリ構造を解析する解析手段と、
前記解析手段による解析結果に基づいて、前記ディレクトリのディレクトリ名として予め定めた位置に予め定めた桁数の番号を有するディレクトリがあるか否かを判定する第１の判定手段と、
前記第１の判定手段によって前記ディレクトリのディレクトリ名として予め定めた位置に予め定めた桁数の番号を有するディレクトリがあると判定されたら、予め定めた位置に予め定めた桁数の番号を有するディレクトリ名のディレクトリとそのディレクトリのアドレスとを対応させたディレクトリテーブルを作成する作成手段と、
前記ディレクトリテーブルを記憶部に記憶する記憶手段と、
前記テンキーによって前記予め定めた桁数の所定の数字が入力された際、前記ディレクトリテーブルを検索することにより、前記ディレクトリのディレクトリ名の前記予め定めた位置に前記予め定めた桁数の所定の数字と一致する数字を含むディレクトリがあるか否かを判定する第２の判定手段と、
前記第２の判定手段によって前記予め定めた桁数の所定の数字と一致する数字を含むディレクトリがあると判定されたら、そのディレクトリに格納されたデータを再生する再生手段と
を備えて構成したことを特徴とするディスク再生装置。
【請求項２】
前記ディスクは、前記データとして圧縮音声データをＣＤ−ＲＯＭフォーマットにて記録したＣＤ−ＲまたはＣＤ−ＲＷであることを特徴とする請求項１記載のディスク再生装置。
【請求項３】
データを格納したディレクトリを１または複数個記録したディスクを再生するディスク再生装置に用いるディスク再生方法において、
前記ディスク再生装置に挿入された前記ディスクのディレクトリ構造を解析する解析ステップと、
前記解析ステップによる解析結果に基づいて、前記ディレクトリのディレクトリ名として予め定めた位置に予め定めた桁数の番号を有するディレクトリがあるか否かを判定する第１の判定ステップと、
前記第１の判定ステップにて前記ディレクトリのディレクトリ名として予め定めた位置に予め定めた桁数の番号を有するディレクトリがあると判定されたら、予め定めた位置に予め定めた桁数の番号を有するディレクトリ名のディレクトリとそのディレクトリのアドレスとを対応させたディレクトリテーブルを作成する作成ステップと、
前記ディレクトリテーブルを記憶部に記憶する記憶ステップと、
前記ディスク再生装置の操作部によって前記予め定めた桁数の所定の数字が入力されたら、前記ディレクトリテーブルを検索することにより、前記ディレクトリのディレクトリ名の前記予め定めた位置に前記予め定めた桁数の所定の数字と一致する数字を含むディレクトリがあるか否かを判定する第２の判定ステップと、
前記第２の判定ステップにて前記予め定めた桁数の所定の数字と一致する数字を含むディレクトリがあると判定されたら、そのディレクトリのアドレスを取得する取得ステップと、
前記ディスクを再生するためのピックアップを前記取得ステップにて取得したアドレスのディレクトリに相当する位置に移動させる移動ステップと、
前記移動ステップにて移動したアドレスのディレクトリに格納されたデータを再生する再生ステップと
を含むことを特徴とするディスク再生方法。
【請求項４】
前記移動ステップと前記再生ステップとの間に、前記取得ステップにて取得したアドレスのディレクトリ内に再生すべきデータが格納されているか否かを判定する第３の判定ステップを有し、
前記再生ステップは、前記第３の判定ステップにて再生すべきデータが格納されていると判定された際に前記データの再生処理を実行することを特徴とする請求項３記載のディスク再生方法。
【請求項５】
前記第１及び第２の判定ステップは、前記ディレクトリのディレクトリ名の先頭に前記予め定めた桁数の所定の数字と一致する数字を含むディレクトリがあるか否かを判定することを特徴とする請求項３または４に記載のディスク再生方法。
【発明の詳細な説明】
【０００１】
【発明の属する技術分野】
本発明は、圧縮音声データ等のデータを格納したディレクトリを１または複数個記録したディスクを再生するディスク再生装置に係り、特に、目的とするディレクトリ（選択を希望するディレクトリ）を容易に選択することができるよう、ディレクトリの選択方法を改良したディスク再生装置に関する。
【０００２】
【従来の技術】
楽曲情報（音声データ）を記録した記録媒体として、コンパクトディスク（ＣＤ）が広く普及している。ＣＤ規格に基づいたディスクとして、１回のみ記録することができるＣＤ−Ｒや複数回の書き換えが可能なＣＤ−ＲＷが登場し、普及しつつある。他のＣＤ規格に基づいたディスクとして、コンピュータの読み出し専用メモリ（ＲＯＭ）として用いられるＣＤ−ＲＯＭがある。このように、ＣＤ規格のディスクとしては、楽曲情報を記録した再生専用のディスクだけでなく、書き込み可能なディスク等の種々のディスクが登場している。
【０００３】
ところで、近年、データの圧縮技術が進歩すると共に、パーソナルコンピュータ（パソコン）の普及に伴って、パソコンを用いて音声データを圧縮し、その圧縮データをＣＤ−ＲやＣＤ−ＲＷにＣＤ−ＲＯＭフォーマットで記録させることが行われるようになってきた。なお、音声データの圧縮方式としては、ＭＰ３（ＭＰＥＧ１オーディオレイヤー３）と称されるものが知られている。圧縮方式によっても異なるが、音声データを圧縮することにより、例えば、１０曲程度を収納したＣＤ（アルバム）１０枚程度を、１枚のＣＤ−Ｒ，ＣＤ−ＲＷに記録させることができる。
【０００４】
ここで、図７及び図８を用いて、圧縮音声データをＣＤ−Ｒ，ＣＤ−ＲＷにＣＤ−ＲＯＭフォーマットで記録させる一般的な方法について説明する。図７において、パソコン１には、ディスプレイ２とキーボード３が接続されている。なお、マウスの図示は省略している。パソコン１によってＣＤ−Ｒのライティングソフトウェアを起動することにより、ＣＤ−ＲあるいはＣＤ−ＲＷに対し、圧縮音声データをＣＤ−ＲＯＭフォーマットにて書き込むことができる。
【０００５】
図８は、圧縮音声データを格納するディレクトリの構造例を示している。図８に示すように、ルートディレクトリＤｒに、ＡＢＣなるディレクトリ名のディレクトリＤ１と、ＤＥＦなるディレクトリ名のディレクトリＤ２と、ＸＹＺなるディレクトリ名のディレクトリＤ３がぶらさがっている。ここでは、ルートディレクトリＤｒに３つのディレクトリが１つの階層にてぶらさがっている例を示しているが、さらに多くのディレクトリがぶらさがることもあるし、階層が複数構造となる場合もある。
【０００６】
【発明が解決しようとする課題】
従来のディスク再生装置に、図８に示すような複数個のディレクトリを記録したディスクを装填し、希望の音声データを再生するには、液晶表示部等の表示部にディレクトリ構造を表示し、カーソルキー等を操作して、目的とするディレクトリを選択する必要があった。ディレクトリの数が多数であったり、ディレクトリ構造が複雑であったりすると、目的とするディレクトリを選択するのに多数の操作や多くの時間がかかってしまうという問題点があった。特に、ディスク再生装置がカーオーディオの場合には、目的とするディレクトリを選択するのに多数の操作や多くの時間がかかるのは好ましくなく、改善が求められていた。
【０００７】
本発明はこのような問題点に鑑みなされたものであり、目的とするディレクトリを容易に選択することができるディスク再生装置を提供することを目的とする。
【０００８】
【課題を解決するための手段】
本発明は、上述した従来の技術の課題を解決するため、データを格納したディレクトリを１または複数個記録したディスクを再生するディスク再生装置において、テンキーを有する操作部と、前記ディスクのディレクトリ構造を解析する解析手段と、前記解析手段による解析結果に基づいて、前記ディレクトリのディレクトリ名として予め定めた位置に予め定めた桁数の番号を有するディレクトリがあるか否かを判定する第１の判定手段と、前記第１の判定手段によって前記ディレクトリのディレクトリ名として予め定めた位置に予め定めた桁数の番号を有するディレクトリがあると判定されたら、予め定めた位置に予め定めた桁数の番号を有するディレクトリ名のディレクトリとそのディレクトリのアドレスとを対応させたディレクトリテーブルを作成する作成手段と、前記ディレクトリテーブルを記憶部に記憶する記憶手段と、前記テンキーによって前記予め定めた桁数の所定の数字が入力された際、前記ディレクトリテーブルを検索することにより、前記ディレクトリのディレクトリ名の前記予め定めた位置に前記予め定めた桁数の所定の数字と一致する数字を含むディレクトリがあるか否かを判定する第２の判定手段と、前記第２の判定手段によって前記予め定めた桁数の所定の数字と一致する数字を含むディレクトリがあると判定されたら、そのディレクトリに格納されたデータを再生する再生手段とを備えて構成したことを特徴とするディスク再生装置を提供する。
また、データを格納したディレクトリを１または複数個記録したディスクを再生するディスク再生装置に用いるディスク再生方法において、前記ディスク再生装置に挿入された前記ディスクのディレクトリ構造を解析する解析ステップと、前記解析ステップによる解析結果に基づいて、前記ディレクトリのディレクトリ名として予め定めた位置に予め定めた桁数の番号を有するディレクトリがあるか否かを判定する第１の判定ステップと、前記第１の判定ステップにて前記ディレクトリのディレクトリ名として予め定めた位置に予め定めた桁数の番号を有するディレクトリがあると判定されたら、予め定めた位置に予め定めた桁数の番号を有するディレクトリ名のディレクトリとそのディレクトリのアドレスとを対応させたディレクトリテーブルを作成する作成ステップと、前記ディレクトリテーブルを記憶部に記憶する記憶ステップと、前記ディスク再生装置の操作部によって前記予め定めた桁数の所定の数字が入力されたら、前記ディレクトリテーブルを検索することにより、前記ディレクトリのディレクトリ名の前記予め定めた位置に前記予め定めた桁数の所定の数字と一致する数字を含むディレクトリがあるか否かを判定する第２の判定ステップと、前記第２の判定ステップにて前記予め定めた桁数の所定の数字と一致する数字を含むディレクトリがあると判定されたら、そのディレクトリのアドレスを取得する取得ステップと、前記ディスクを再生するためのピックアップを前記取得ステップにて取得したアドレスのディレクトリに相当する位置に移動させる移動ステップと、前記移動ステップにて移動したアドレスのディレクトリに格納されたデータを再生する再生ステップとを含むことを特徴とするディスク再生方法を提供する。
【０００９】
【発明の実施の形態】
以下、本発明のディスク再生装置について、添付図面を参照して説明する。図１は本発明のディスク再生装置の一実施例を示すブロック図、図２及び図３は本発明のディスク再生装置の動作を説明するためのフローチャート、図４は本発明のディスク再生装置で用いるディレクトリテーブルの一例を示す図、図５は本発明のディスク再生装置によって再生するディスクのディレクトリ構造例を示す図、図６は本発明のディスク再生装置によって再生するディスクのデータ構造例を示す図である。
【００１０】
図１において、ディスク１１は、図７で説明したように、ＣＤ−ＲやＣＤ−ＲＷのような書き込み可能なディスクに、圧縮音声データをＣＤ−ＲＯＭフォーマットで記録したものである。ディスク１１としては、ＣＤ−ＲやＣＤ−ＲＷに限定されるものではなく、ディスク１１に記録するデータとしては、圧縮音声データに限定されるものではない。ディスク１１は、図８で説明したように、データを格納したディレクトリを１または複数個記録したものであればよい。
【００１１】
本発明を適用する条件として、ディスク１１に記録したディレクトリの名を、数字を含ませたものとする。ディレクトリ構造及びディレクトリ名が図８のようであった場合、即ち、ルートディレクトリＤｒに、ＡＢＣなるディレクトリ名のディレクトリＤ１と、ＤＥＦなるディレクトリ名のディレクトリＤ２と、ＸＹＺなるディレクトリ名のディレクトリＤ３がぶらさがっていた場合、図５に示すように、それぞれのディレクトリ名の例えば先頭に１または複数桁の番号を付す。図７において、キーボード３によってディレクトリ名を変更し、パソコン１内のデータとして、予め図５のようなディレクトリ名としてから、ＣＤ−ＲやＣＤ−ＲＷにデータを書き込む。
【００１２】
数字を含んだディレクトリ名に変更した図５のディレクトリ構造において、それぞれのディレクトリが格納する圧縮音声データは図８と同じであるが、区別のため、０１ＡＢＣなるディレクトリ名のディレクトリをＤ１０、０２ＤＥＦなるディレクトリ名のディレクトリをＤ２０、０３ＸＹＺなるディレクトリ名のディレクトリをＤ３０と称することとする。本実施例では、ディレクトリ名の先頭を数字としたが、これに限定されるものではなく、最後尾であってもよく、桁数も任意である。但し、ディレクトリ名における数字の位置及び桁数は予め定めておく。
【００１３】
ディスク１１は、圧縮音声データをＣＤ−ＲＯＭフォーマットで記録したものであるので、そのデータ構造は、概略的に図示すれば、図６に示すようになっている。ディスク１１は、ディレクトリ構造がどのような階層構造になっているかを示すパステーブル１１ａと、それぞれのディレクトリのアドレスを示すディレクトリコード１１ｂと、それぞれのディレクトリ内に格納される実際のデータである圧縮音声データ１１ｃとを含む。
【００１４】
図１に戻り、ディスク１１は、駆動機構部１２によって回転される。光ピックアップＰＵはディスク１１にレーザ光を照射し、その反射光を検出することによってディスク１１に記録された情報を読み取ることができる。駆動機構部１２は、サーボ制御部１３の制御により、光ピックアップＰＵのディスク１１に対する径方向の位置や、レーザ光の照射位置を制御する。ディスク１１から読み取った情報（データ）は、サーボ制御部１３を介してＣＤ−ＲＯＭデコーダ１４に入力されてデコードされる。
【００１５】
ＣＤ−ＲＯＭデコーダ１４によってデコードされたデータは、マイクロコンピュータ（マイコン）１５に入力され、後述するディレクトリ解析処理が行われる。マイコン１５はランダムアクセスメモリ（ＲＡＭ）１６を内蔵している。ＲＡＭ１６は、マイコン１５に対して外付けされたものであってもよい。ディスク１１に記録されたデータの内、圧縮音声データは圧縮音声デコーダ１８に入力されてデコードされる。マイコン１５は、サーボ制御部１３，ＣＤ−ＲＯＭデコーダ１４，圧縮音声デコーダ１８を制御する。
【００１６】
また、マイコン１５には、少なくともテンキーを含む各種のキー（釦）を有する操作部１７からの操作信号が供給されるようになっている。操作部１７は、装置本体に設けられたものであってもよいし、リモコン送信機であってもよい。
【００１７】
圧縮音声デコーダ１８によってデコードされた圧縮音声データ、即ち、圧縮が解かれて伸長された音声データは、Ｄ／Ａコンバータ１９に入力されてアナログ信号に変換される。このアナログ信号はアンプ２０によって増幅され、スピーカ２１によって放音される。ここでは、スピーカ２１を１つのみ図示しているが、複数のスピーカであってもよい。
【００１８】
ここで、図２を用いて、マイコン１５によって行われるディレクトリ解析処理について説明する。図２において、ステップＳ１にて、ＣＤ（ディスク１１を含む）が挿入されたか否かを判定する。ＣＤが挿入されたか否かを判定する具体的方法は種々知られている。ＣＤが挿入されたら、ステップＳ２に移り、挿入されていなければ終了する。ステップＳ２にて、図６で説明したパステーブル１１ａを参照することによって、ディレクトリ構造を解析する。
【００１９】
ステップＳ３にて、ディレクトリ名として番号付きのディレクトリがあるか否か判定する。本実施例では、ディレクトリ名の先頭の２桁が番号であるかを判定する。番号付きのディレクトリあればステップＳ４に移り、なければステップＳ５に移る。ステップＳ４にて、後述するディレクトリテーブルを作成し、ステップＳ５に移る。ステップＳ５にて、全てのディレクトリの解析が終了したか否かを判定し、終了していればステップＳ６に移り、終了していなければステップＳ２に戻る。ステップＳ６にて、テンキー入力によるディレクトリ検索処理を行い、終了する。
【００２０】
図４は、ステップＳ４にて作成するディレクトリテーブルの一例である。マイコン１５は、番号付きのディレクトリがあれば、図６で説明したディレクトリコード１１ｂを参照することによって、それぞれのディレクトリのアドレスを取得する。そして、マイコン１５は、図４に示すように、それぞれのディレクトリとアドレスとを対応させたテーブルを作成して、ＲＡＭ１６に書き込む。
【００２１】
次に、図３を用いて、図２のステップＳ６におけるテンキー入力によるディレクトリ検索処理の具体例について説明する。図３において、マイコン１５は、ステップＳ６１にて、操作部１７のテンキーが入力されたか否かを判定する。テンキーが入力されたらステップＳ６２に移り、入力されていなければ終了する。ステップＳ６２にて、ＲＡＭ１６に書き込まれているディレクトリテーブルを検索する。ステップＳ６３にて、入力された番号と一致する番号を含むディレクトリがあるか否かを判定する。
【００２２】
一致するディレクトリがあれば、ステップＳ６４にて、そのディレクトリのアドレスを取得し、一致するディレクトリがなければ終了する。ステップＳ６５にて、光ピックアップＰＵからのレーザ光の照射位置を、ステップＳ６４で取得したアドレスのディレクトリに相当する位置に移動させる。そして、ステップＳ６６にて、そのディレクトリ内に実際に圧縮音声データがあるか否かを判定する。圧縮音声データがあれば、ステップＳ６７にて、圧縮音声データの再生処理を行い終了する。圧縮音声データがなければ、そのまま終了する。
【００２３】
ステップＳ６６は必ず必要な処理ではないが、ディレクトリ内に実際に圧縮音声データが格納されていない場合もあるので、ステップＳ６６の処理を設ける方が好ましい。ステップＳ６６を設けることにより、圧縮音声データがないにもかかわらず、ステップＳ６７の圧縮音声データの再生処理に移ってしまうという無駄な動作をなくすことができる。
【００２４】
【発明の効果】
以上詳細に説明したように、本発明のディスク再生装置は、テンキーを有する操作部と、テンキーによって数字が入力された際、ディレクトリのディレクトリ名の少なくとも一部として、その数字と一致するディレクトリがあるか否かを判定する判定手段と、この判定手段によって数字と一致するディレクトリがあると判定されたら、そのディレクトリに格納されたデータを再生する再生手段とを備えて構成したので、目的とするディレクトリを容易に選択することができる。
【図面の簡単な説明】
【図１】本発明の一実施例を示すブロック図である。
【図２】本発明の動作を説明するためのフローチャートである。
【図３】本発明の動作を説明するためのフローチャートである。
【図４】本発明で用いるディレクトリテーブルの一例を示す図である。
【図５】本発明によって再生するディスクのディレクトリ構造例を示す図である。
【図６】本発明によって再生するディスクのデータ構造例を示す図である。
【図７】圧縮音声データをＣＤ−Ｒ，ＣＤ−ＲＷにＣＤ−ＲＯＭフォーマットで記録させるための構成例を示す図である。
【図８】圧縮音声データを格納するディレクトリの構造例を示す図である。
【符号の説明】
１１  ディスク
１２  駆動機構部
１３  サーボ制御部
１４  ＣＤ−ＲＯＭデコーダ
１５  マイクロコンピュータ
１６  ランダムアクセスメモリ（記憶部）
１７  操作部
１８  圧縮音声デコーダ
１９  Ｄ／Ａコンバータ
２０  アンプ
２１  スピーカ
【図１】
0003944817.tif 000002
【図２】
0003944817.tif 000003
【図３】
0003944817.tif 000004
【図４】
0003944817.tif 000005
【図５】
0003944817.tif 000006
【図６】
0003944817.tif 000007
【図７】
0003944817.tif 000008
【図８】
0003944817.tif 000009